(57)【要約】【課題】  より合理的に構成された振り子装置を得ること。【解決手段】  揺動可能に支持された振り子１００と、振り子を揺動する振り子駆動手段３００とを備えた振り子装置において、振り子の外部に支持部１２を設け、振り子及び支持部の一方に磁石１１１を設けるとともに、振り子及び支持部の他方に磁石１１１と引き合う磁石１１又は磁性体を設け、支持部を移動することにより、一方の磁石と他方の磁石又は磁性体との間隔が調整されるものとし、一方の磁石と他方の磁石又は磁性体との間隔を調整することにより、振り子の揺動周期を変えられるようにした。【選択図】図１
2008164542.tif 000002
【特許請求の範囲】
【請求項１】
揺動可能に支持された振り子と、前記振り子を揺動する振り子駆動手段とを備えた振り子装置において、
前記振り子の外部に支持部を設け、
前記振り子及び前記支持部の一方に磁石を設けるとともに、前記振り子及び前記支持部の他方に前記磁石と引き合う磁石又は磁性体を設け、
前記支持部を移動することにより、前記一方の磁石と前記他方の磁石又は磁性体との間隔が調整されるものとし、
前記一方の磁石と前記他方の磁石又は磁性体との間隔を調整することにより、前記振り子の揺動周期を変えられるようにしたことを特徴とする振り子装置。
【請求項２】
前記振り子は、その支点よりも上の部位に重りを設けてなるものであることを特徴とする請求項１記載の振り子装置。
【請求項３】
前記一方の磁石を前記振り子の支点よりも上の部位に設け、
前記振り子駆動手段は、前記一方の磁石に作用することにより、前記振り子を揺動するものであることを特徴とする請求項１又は２記載の振り子装置。
【発明の詳細な説明】
【技術分野】
【０００１】
本発明は、時計の装飾等に利用される振り子装置に関する。
【背景技術】
【０００２】
壁掛け時計や置き時計としては、装飾用の振り子装置を備えたものが知られている。振り子装置は、磁石を設けた振り子を支持部に支持するとともに、磁石に作用する振り子駆動手段を振り子の外部に配置して構成されている。この種の振り子装置は、特許文献１にも開示されている。特許文献１に開示された振り子装置は、複数の部材を組付けてなる振り子を用いてなるものであり、組付け部材の上下位置を反転させることにより、周期の設定の自由度を高めることができるものとなっている。
【特許文献１】特開２００５−１４０５４３号公報
【発明の開示】
【発明が解決しようとする課題】
【０００３】
さて近年、時計のデザインはますます多様化される傾向にあり、前述した振り子装置についても、装飾性に優れるとともに、汎用性、組立て性、駆動時の安定性、及び振り子の動きの多様性等を向上してなるものが望まれている。本発明は、かかる事情に鑑みてなされたものであり、その目的は、より合理的に構成された振り子装置を提供することである。
【課題を解決するための手段】
【０００４】
本願第１請求項に記載した発明は、揺動可能に支持された振り子と、前記振り子を揺動する振り子駆動手段とを備えた振り子装置において、前記振り子の外部に支持部を設け、前記振り子及び前記支持部の一方に磁石を設けるとともに、前記振り子及び前記支持部の他方に前記磁石と引き合う磁石又は磁性体を設け、前記支持部を移動することにより、前記一方の磁石と前記他方の磁石又は磁性体との間隔が調整されるものとし、前記一方の磁石と前記他方の磁石又は磁性体との間隔を調整することにより、前記振り子の揺動周期を変えられるようにした構成の振り子装置である。
【０００５】
本願第２請求項に記載した発明は、請求項１において、前記振り子は、その支点よりも上の部位に重りを設けてなるものである構成の振り子装置である。
【０００６】
本願第３請求項に記載した発明は、請求項１又は２において、前記一方の磁石を前記振り子の支点よりも上の部位に設け、前記振り子駆動手段は、前記一方の磁石に作用することにより、前記振り子を揺動するものである構成の振り子装置である。
【発明の効果】
【０００７】
本発明によれば、より合理的に構成された振り子装置を得ることができる。
【発明を実施するための最良の形態】
【０００８】
以下に、本発明の実施例を図面に基づいて詳細に説明する。図１乃至図８に示す本例の振り子装置１は、時計の筐体１０の内部に組込まれ、その時計を装飾するものである。この振り子装置１は、振り子１００と、振り子１００を揺動可能に支持したプレート状の支持体２００と、振り子を揺動する振り子駆動手段３００とを備えている。筐体１０に対しては、支持体２００を装着するする構成となっている。振り子１００は、筐体の内部に揺動可能に支持されている。また、支持体２００には、時計の指針を駆動するムーブメント４００が設けられている。尚、図中の１１及び１２は、振り子１００の外部に設けられた磁石とそれを支持する支持部である。これらについては、後に詳述する。
【０００９】
振り子１００は、支持体２００に設けられたナイフエッジ状の軸部２１０に支持されて、この軸部２１０を支点として揺動する。振り子駆動手段３００は、磁気的作用にて振り子１００を揺動するものであり、支持体２００の要所に設けられている。具体的には、振り子１００に設けられた磁石１１１がその近傍を通過する際に検出コイルに誘起電圧を発生し、検出コイルに誘起電圧が発生すると駆動コイルに電流が流れ、駆動コイルが磁石１１１を反発することにより振り子１００を加勢する構成となっている。
【００１０】
この振り子１００は、支持体２００に支持される第１振り子部材１１０と、第１振り子部材１１０の下部に連結される第２振り子部材１２０とを組付けてなるものである。第１振り子部材１１０及び第２振り子部材１２０は、金型成形された合成樹脂製の部材からなるものである。第１振り子部材１１０には、前述した磁石１１１と、軸部２１０を挿通する孔部１１２と、所定の重量の重り１１３が設けられている。また、この第１振り子部材１１０の要所には、ムーブメント４００の針合わせ４１０との干渉を回避するための湾曲部１１０ａが設けられている。第２振り子部材１２０には、振り玉１２１が設けられている。時計の筐体１０は、窓部や透明板等を介して第２振り子部材１２０を外部に露呈するものとする。
【００１１】
また、本例の振り子１００は、その支点となる軸部２１０よりも上の部位に磁石１１１及び重り１１３を設けてなるものである。振り子１００の揺動周期は、支点よりも上の部位の重量に応じて遅くなる。すなわち、ゆったりとした優雅な動きを醸し出す構成となっている。
【００１２】
次に、第１振り子部材１１０と第２振り子部材１２０との連結構について説明する。本例の場合、第１振り子部材１１０及び第２振り子部材１２０の一方にはフック部１２２を設けるとともに、それらの他方にはフック部１２２を係止する係止部１１４を設けている。図例の振り子１００は、フック部１２２を第２振り子部材１２０の上部に設け、係止部１１４を第１振り子部材１１０の下部に設けたものである。係止部１１４には、フック部１２２の幅に対応する径を上から下に向って減少するテーパーが設けられており、フック部１２２は、テーパーに導かれて所定の位置に係止される構成となっている。尚、フック部１２２を第１振り子部材１１０の下部に設け、係止部１１４を第２振り子部材１２０の上部に設けることも可能である。第２振り子部材１２０は、フック部１２２を係止部１１４に係止することにより、第１振り子部材１１０に吊り下げられた状態となる。
【００１３】
更に本例の場合、第１振り子部材１１０には、第２振り子部材１２０を挟む一対の突片１１５が設けられている。一対の突片１１５は、第２振り子部材１２０の上部近傍を振り子１００の揺動方向に挟むものとなっている。第２振り子部材１２０は、フック部１２２を係止部１１４に係止するとともに、一対の突片１１５の間に圧入するものとなっている。かかる一対の突片１１５は、第１振り子部材１１０の金型成形において一体成形された部位であり、弾性変形して第２振り子部材に圧接する。
【００１４】
このように、一対の突片１１５が弾性変形して第２振り子部材１２０に圧接するので、第１振り子部材１１０に対する第２振り子部材１２０の位置が振り子１００の揺動方向に移動することはない。従って、振り子１００の揺動が確実に安定化する。
【００１５】
次に、本例における振り子１００と支持体２００との関係について説明する。本例の場合、振り子１００は、その支点となる軸部２１０よりも上の部位に重りを設けてなるものであるとともに、振り子１００の支点よりも上の部位の揺動域は、図６に示すように、支持体２００の正面から見て支持体２００の輪郭内部に含まれる構成となっている。図６中の破線は、支持体２００の輪郭を示している。図６中の２点鎖線は、支持部１２の磁石１１が無い場合における振り幅が最大のときの振り子１００の位置を示している。このような構成によると、振り子装置１のユニットとしての汎用性及び組立て性が向上するという利点がある。以下に、その考え方を説明する。
【００１６】
振り子装置１を筐体１０の内部に組込む場合は、筐体１０の内部に振り子１００の揺動スペースを確保する必要がある。この点、振り子１００の支点よりも上の部位の揺動域が、支持体２００の正面から見て支持体２００の輪郭内部に含まれる構成によると、時計の設計や、筐体１０に対する振り子装置１の組込み時において、支持体２００が、かかる部位の揺動スペースを確保するための目安になるという利点がある。
【００１７】
振り子１００の支点よりも上の部位に磁石１１１や重り１１３を設けると、振り子１００の揺動周期は遅くなるものの、振り子１００としては大型化する。そして、設計や組込みの段階においては、かかる部位の揺動スペースを考慮しつつ作業しなければならず、これが作業の複雑化を招く原因となる。これに対し、本例によると、支持体２００の設置位置を定め、それに合わせて所要の揺動スペースを確保すればよいので、その作業は比較的容易なものとなる。具体的には、筐体１０の内部には、回路基板や、電池ボックスや、標準時刻電波受信用アンテナ等の構成部材が収納される。振り子１００の支点よりも上の部位の揺動スペースは、これらの構成部材と支持体２００との間に所定の間隔を設定することにより、確保することが可能である。すなわち、振り子１００の揺動域を確認しつつ作業を行う必要がないので、作業効率を確実に向上することが可能となる。つまり、本例の振り子装置１は、各種時計に利用するユニットとしての汎用性に優れたものとなっている。
【００１８】
次に、重り１１３及びこれを装着する重り装着部１１６について説明する。本例の振り子１００は、その支点となる軸部２１０よりも上の部位に、重り装着部１１６を設けてなるものである。この重り装着部１１６は、第１振り子部材１１０の要所に設けられている。
【００１９】
また、この振り子装置１は、重り装着部１１６に装着する重り１１３の重量を変えることにより、振り子１００の揺動周期が変えられるものとなっている。尚、重り１１３は、重り装着部１１６の所定位置に対し対称的に設けられるものとして、重り装着部１１６に装着する重り１１３の重さが異なっても、振り子１００全体の重心の位置がずれることがないように構成されている。具体的には、重り１１３は、底面を前後方向に向けた円筒形状を呈するものであり、重り装着部１１６は、これを嵌装する円筒形状の内周面を有する形状となっている。重り装着部１１６に装着する重り１１３の重さは、重り１１３の前後方向の寸法を変えることにより調整される。
【００２０】
本例の場合、磁石１１１及び重り１１３を含めた振り子１００全体の重心は、軸部２１０の前後方向中心に位置するように設定されている。振り子１００の揺動を安定化させるためである。この振り子１００全体の重心が、装着する重り１１３の重さにより移動すると、振り子１００の揺動が不安定になる場合が考えられるが、本例によると、そのような不都合を回避することができる。
【００２１】
次に、本例における振り子１００の磁石１１１と支持部１２に設けた磁石１１について説明する。本例の場合、一対の磁石１１を固定した支持部１２を筐体１０に対し移動可能に設けている。一対の磁石１１は、振り子１００側の磁石１１１の揺動域を挟むように、振り子１００の揺動方向の両側に設けられている。より具体的には、振り子１００側の磁石１１１の揺動域を遮ることながいように、且つ、振り子１００の支点を中心に対称的に設けられている。各磁石１１は、支持部１２に嵌装、ねじ止め、又は接着にて固定されている。振り子１００側の磁石１１１と支持部１２側の各磁石１１は、互いに引き合うものとなっている。
【００２２】
振り子１００側の磁石１１１と支持部１２側の磁石１１との間隔は、支持部１２を移動することにより調整される。振り子１００は、振り子１００側の磁石１１１と支持部１２側の磁石１１との間隔を調整することにより、その揺動周期が変えられる構成となっている。支持体１２を上へ移動すると、それらの間隔が大きくなり、磁石１１１,１１が引き合う力が弱まる。その結果、振り子１００の揺動周期は短くなる（図７参照）。支持体１２を下へ移動すると、それらの間隔が小さくなり、磁石１１１,１１が引き合う力が強まる。その結果、振り子１００の揺動周期は長くなる（図８参照）。振り子１００の振り幅は、揺動周期が長くなると大きくなり、短くなると小さくなる。
【００２３】
このように揺動周期を変える方法は、重り１１３の重量を変える方法とは異なる方法である。振り子１００の揺動周期は、先ず、重り１１３の重量を変えることにより、およそ２．０〜１．２秒の範囲で設定可能である。更に本例では、支持部１２側の磁石１１を移動することにより、その揺動周期を調整することが可能である。揺動周期は、磁石１１１,１１が引き合う力によって長くなる。つまり、異なる２つの方法の組み合わせにより、およそ２．５〜１．２秒の範囲で設定可能となっている。
【００２４】
筐体１０に対する支持部１２の支持構造は、特に限定はしないが、例えば、図９に示すように、支持部１２を筐体１０にねじ止めするように構成するとよい。支持体１２には、筐体１０に当接する延出部１２ａを設け、延出部１２ａには雄ねじ部品たるボルト１３を螺合する雌ねじ部１２ｂを設けている。また、筐体１０の要所には、そのボルト１３を挿通する通孔１０ａを設けている。通孔１０ａは、上下方向に複数列設されており、支持部１２は、ボルト１３を挿通する通孔１０ａを選択・変更することにより、上下方向に移動可能となっている。或は、図１０に示すように、上下方向に長い長孔１０ｂを設け、雄ねじ部品たるつまみねじ１４にてねじ止めするように構成することも可能である。尚、筐体１０に支持部１２を移動可能に設ける例を説明したが、支持部１２は、支持体２００に移動可能に設けるように構成することも可能である。
【００２５】
このような構成によると、振り子１００の揺動周期を合理的に変えることができる。特に、本例の振り子１００は、その支点よりも上の部位に重り１１３を設けてなるものである。つまり、支点を中心として上下の重量バランスがある程度確保されているため、このような磁石１１の作用による揺動周期の変化が大きいものとなっている。つまり、振り子１００の外部に設けた磁石１１にて揺動周期を調整するという本例の構成は、このような振り子１００において非常に効果的であるといえる。
【００２６】
また、本例では、振り子１００の支点よりも上の部位に磁石１１１設け、振り子駆動手段３００は、その磁石１１１に作用することにより、振り子１００を揺動するものであり、且つ、支持部１２側の磁石１１は、その磁石１１１に対応するものとなっている。すなわち、振り子駆動手段３００の磁石と、支持部１２の磁石１１に対応する磁石は、それぞれ別途に設けることも可能であるが、本例のように、それらの磁石を共通化することによれば、部品点数の低減を達成することができる。
【００２７】
更に、本例では振り子１００側の磁石１１１と支持部１２側の磁石１１が引き合うように構成したが、少なくともどちらか一方を磁石とすれば、その他方は磁性体に置きかえることも可能である。振り子１００側の磁石１１１を磁性体とする場合、振り子駆動手段３００の磁石は、その磁性体とは別途に設けるものとする。
【００２８】
以上説明したように、本例の振り子装置は、筐体に収納するユニットとして合理的に構成してなるものであり、時計を装飾する装置として好適に利用することが可能である。尚、本例における各部の構成は、特許請求の範囲に記載した技術的範囲において適宜に設計変更が可能であり、図例したものに限定されないことは勿論である。
【産業上の利用可能性】
【００２９】
本発明の振り子装置は、置き時計や壁掛け時計を装飾するものとして好適に利用することができる。
【図面の簡単な説明】
【００３０】
【図１】本発明の実施例に係り、振り子装置を示す透視正面図である。
【図２】本発明の実施例に係り、振り子及び支持部を示す透視側面図である。
【図３】本発明の実施例に係り、振り子を示す透視正面図である。
【図４】本発明の実施例に係り、振り子を示す透視側面図である。
【図５】本発明の実施例に係り、（ａ）は振り子の要部を示す透視正面図であり、（ｂ）は振り子の要部を示す透視側面図である。
【図６】本発明の実施例に係り、振り子の揺動を示す説明図である。
【図７】本発明の実施例に係り、支持部（上へ移動した状態）に設けた磁石とそれに対する振り子の揺動を示す説明図である。
【図８】本発明の実施例に係り、支持部（下へ移動した状態）に設けた磁石とそれに対する振り子の揺動を示す説明図である。
【図９】本発明の実施例に係り、筐体に対する支持部の支持構造示す説明図である。
【図１０】本発明の実施例に係り、筐体に対する支持部の支持構造を示す説明図である。
【符号の説明】
【００３１】
１    振り子装置
１０    筐体
１０ａ    通孔
１０ｂ    長孔
１１    磁石
１２    支持部
１２ａ    延出部
１２ｂ    雌ねじ部
１３    ボルト
１４    つまみねじ
１００    振り子
１１０    第１振り子部材
１１０ａ    湾曲部
１１１    磁石
１１２    孔部
１１３    重り
１１４    係止部
１１５    突片
１１６    重り装着部
１２０    第２振り子部材
１２１    振り玉
１２２    フック部
２００    支持体
２１０    軸部
３００    振り子駆動手段
４００    ムーブメント
４１０    針合わせ
【図１】
2008164542.tif 000003
【図２】
2008164542.tif 000004
【図３】
2008164542.tif 000005
【図４】
2008164542.tif 000006
【図５】
2008164542.tif 000007
【図６】
2008164542.tif 000008
【図７】
2008164542.tif 000009
【図８】
2008164542.tif 000010
【図９】
2008164542.tif 000011
【図１０】
2008164542.tif 000012